(57)【要約】      （修正有）【課題】ＶＣＴＣＸＯの発振周波数を安定化することのできる無線通信装置を提供することである。【解決手段】基地局と送受信する無線回路部と、上記無線回路部と結合されるロジック回路部を有し、上記無線回路部は、少なくとも電圧制御型温度補償水晶発振器と、該電圧制御型温度補償水晶発振器の近傍に配置された温度検出部を有し、上記ロジック回路部は、少なくとも制御部と記憶部からなるＡＦＣ回路を有し、上記ＡＦＣ回路の制御部は、上記基地局から送信される周波数情報に基づいて上記電圧制御型温度補償水晶発振器の発振周波数を制御すると共に、上記記憶部に上記電圧制御型温度補償水晶発振器の初期値設定用の所定の電圧値を記憶し、上記温度検出部からの温度情報に基づいて上記記憶部に記憶されている上記所定の電圧値を書換えるように構成される。【選択図】図１
2008219719.tif 000002
【特許請求の範囲】
【請求項１】
基地局と送受信する無線回路部と、上記無線回路部と結合されるロジック回路部を有し、上記無線回路部は、少なくとも電圧制御型温度補償水晶発振器と、該電圧制御型温度補償水晶発振器の近傍に配置された温度検出部を有し、上記ロジック回路部は、少なくとも制御部と記憶部からなるＡＦＣ回路を有し、上記ＡＦＣ回路の制御部は、上記基地局から送信される周波数情報に基づいて上記電圧制御型温度補償水晶発振器の発振周波数を制御すると共に、上記記憶部に上記電圧制御型温度補償水晶発振器の初期値設定用の所定の電圧値を記憶し、上記温度検出部からの温度情報に基づいて上記記憶部に記憶されている上記所定の電圧値を書換えることを特徴とする無線通信装置。
【請求項２】
請求項１記載の無線通信装置において、上記温度情報が所定範囲の場合、上記記憶部に記憶されている上記所定の電圧値を書換えることを特徴とする無線通信装置。
【請求項３】
請求項１記載の無線通信装置において、上記記憶部に上記電圧制御型温度補償水晶発振器の温度―電圧特性テーブルを記憶し、上記無線通信装置に電源投入時に上記電圧制御型温度補償水晶発振器の温度―電圧特性テーブルから所定の電圧値を読取り、上記電圧制御型温度補償水晶発振器の初期値電圧とすることを特徴とする無線通信装置。
【発明の詳細な説明】
【技術分野】
【０００１】
本発明は、無線通信装置に関し、特に、デジタル移動無線通信システムの移動局の発振周波数を安定化することのできる無線通信装置に関するものである。
【背景技術】
【０００２】
従来のデジタル移動無線通信システムで用いられる移動局の無線通信装置には、送受信周波数から中間周波数への周波数変換を行う局部発振器が備えられている。この局部発振器は、例えば、電圧制御温度補償水晶発振器（Voltage Controlled Temperature Compensated Crystal Oscillator、以下、ＶＣＴＣＸＯと略記する）等の基準発振器と、この基準発振器からの発振周波数を中間周波数に変換するＰＬＬ（Phase Lock Loop）シンセサイザ等より構成されるが、この局部発振器の発振周波数に偏差が含まれていると、中間周波数が所定値からずれ、正確な復調ができなくなることは勿論のこと、送信する無線キャリアの周波数も変化することになる。このため、受信周波数に移動局の基準周波数を追従させ、安定化させるために局部発振器の発振周波数から周波数偏差を除去する必要があり、局部発振器の発振周波数偏差を補正する目的として自動周波数制御（Auto Frequency Control、以下、ＡＦＣと略称する。）回路が用いられている。なお、この例では、例えば、１５０ＭＨｚ帯、あるいは、４００ＭＨｚ帯の周波数が用いられるデジタル移動無線通信システムである。
【０００３】
そして、通常、ＶＣＴＣＸＯでは、周波数調整端子に印加する電圧によって発振周波数が調整できるように構成され、また、周波数調整端子を基準電圧に保持した場合の周波数精度がユーザの指定する温度範囲において所望の精度に収束するように調整されている。
【０００４】
さて、業務用デジタル移動無線通信システムの移動局では、通常、ＶＣＴＣＸＯを基準信号源とするシステムにおいて、基地局との通信状態が確立している場合、ＡＦＣ回路が周波数の安定化のために用意されているので、高精度に周波数制御が可能である。しかし、移動局の電源投入直後や、基地局を経由しない移動局間での直接通信のように基地局からの制御が未確立の状態では、ＶＣＴＣＸＯ単体での周波数制御が間題となる。
【０００５】
ＶＣＴＣＸＯは、このような観点から使用温度範囲内において周波数精度を±数ｐｐｍ以内に収束させることが要求される。製造直後であれば、ＶＣＴＣＸＯは、このような条件を満足するように調整されている。しかしながら、移動局に実装され、それが実際に使用されるようになった場合には、機械的なストレス、環境変化が避けられないため、ＶＣＴＣＸＯの回路内の浮遊容量などが変化し周波数変動が生じるという問題がある。これについて図６、図７を用いて説明する。図６は、ＶＣＴＣＸＯの周波数偏差の温度特性を示す図である。曲線６０１（実線で示す。）は、例えば、無線通信装置が製造された直後のＶＣＴＣＸＯの特性を示している。また、曲線６０２（点線で示す。）は、経年変化後（時間経過後）の特性を示している。なお、この経年変化は、図６の場合、約１年程度であり、その後は、あまり変化しないことが実験的に分かっている。そして、一般的に、ＶＣＴＣＸＯは、使用温度範囲内において周波数精度が±数ｐｐｍ以内に収束させることが要求されている。
【０００６】
図６において、製造直後のＶＣＴＣＸＯの周波数偏差の温度特性曲線６０１を見ると、温度が−２０℃から＋６０℃の範囲で、＋２５℃（周波数偏差０ｐｐｍ相当）を基準とした周波数偏差が±１．０ｐｐｍ以内に収束している。従って、温度が−２０℃から＋６０℃の範囲で無線通信装置を使用したとしても、ＶＣＴＣＸＯの周波数偏差は、±１．０ｐｐｍ以内であるので、特に問題とはならない。従って、無線通信装置の製造時には、この特性例のように＋２５℃を基準として製造されるのが一般的である。
【０００７】
しかしながら、このように＋２５℃を基準とした周波数偏差が±１．０ｐｐｍ以内になるようにＶＣＴＣＸＯの周波数偏差を設定したとしても、例えば、約１年経過した場合のＶＣＴＣＸＯの周波数偏差は、曲線６０２で示されるように約−０．５ｐｐｍずれた特性となり、例えば、＋２５℃を基準とした周波数偏差が±１．０ｐｐｍ以内に収束しないこととなる。
【０００８】
図７は、これをＶＣＴＣＸＯの印加電圧と発振周波数の関係で示した図であり、ｆ０は、設定周波数を示している。図７において、曲線７０１は、＋２５℃を基準とした製造直後のＶＣＴＣＸＯの印加電圧と発振周波数の関係曲線を示し、この曲線７０１が温度変動（温度偏差という。）に従って、曲線７０１−１あるいは７０１−２のように変化することを示している。また、曲線７０２は、例えば、１年経過した場合の＋２５℃を基準としたＶＣＴＣＸＯの印加電圧と発振周波数の関係曲線を示している。この場合、ＶＣＴＣＸＯの発振周波数は、低くなるが、ＶＣＴＣＸＯの印加電圧を大きくすることによって設定周波数をｆ０にしている。
【０００９】
このようにＶＣＴＣＸＯの発振周波数は、経年変化により変化し、また、温度変化によっても変動する。従って、デジタル移動無線通信システムの移動局で用いられる無線通信装置では、上述のように受信周波数に移動局の基準周波数を追従させ、安定化させるために局部発振器の発振周波数偏差を補正する目的として自動周波数制御（ＡＦＣ）回路が用いられている。しかし、移動局の電源投入直後や、基地局を経由しない移動局間での直接通信のように基地局からの制御が未確立の状態では、ＶＣＴＣＸＯの周波数を所定の周波数に安定する方法が未だ確立されておらず、通信不能な状態あるいは不要電波の放射等の問題もあり、これを解決する無線通信装置の実現が望まれている。
【００１０】
【特許文献１】特開２００２−３０５４４２号公報
【発明の開示】
【発明が解決しようとする課題】
【００１１】
以上のように無線通信装置では、ＶＣＴＣＸＯの発振周波数の経年的変化や温度変化が無線通信システムの許容範囲を超えた場合、通信不能な状態あるいは不要電波の放射等の問題もあり、これを解決する無線通信装置の実現が望まれている。
【００１２】
本発明の目的は、ＶＣＴＣＸＯの発振周波数を安定化することのできる無線通信装置を提供することである。
【００１３】
本発明の他の目的は、ＶＣＴＣＸＯの発振周波数偏差を所定の周波数偏差以内に安定化することのできる無線通信装置を提供することである。
【００１４】
本発明の他の目的は、ＶＣＴＣＸＯの経年的周波数変化を補正することができる無線通信装置を提供することである。
【００１５】
本発明の更に他の目的は、ＶＣＴＣＸＯの温度による周波数変化を補正することができる無線通信装置を提供することである。
【課題を解決するための手段】
【００１６】
本発明の無線通信装置は、基地局と送受信する無線回路部と、上記無線回路部と結合されるロジック回路部を有し、上記無線回路部は、少なくとも電圧制御型温度補償水晶発振器と、該電圧制御型温度補償水晶発振器の近傍に配置された温度検出部を有し、上記ロジック回路部は、少なくとも制御部と記憶部からなるＡＦＣ回路を有し、上記ＡＦＣ回路の制御部は、上記基地局から送信される周波数情報に基づいて上記電圧制御型温度補償水晶発振器の発振周波数を制御すると共に、上記記憶部に上記電圧制御型温度補償水晶発振器の初期値設定用の所定の電圧値を記憶し、上記温度検出部からの温度情報に基づいて上記記憶部に記憶されている上記所定の電圧値を書換えるように構成される。
【００１７】
また、本発明の無線通信装置において、上記温度情報が所定範囲の場合、上記記憶部に記憶されている上記所定の電圧値を書換えるように構成される。
【００１８】
また、本発明の無線通信装置において、上記記憶部に上記電圧制御型温度補償水晶発振器の温度―電圧特性テーブルを記憶し、上記無線通信装置に電源投入時に上記電圧制御型温度補償水晶発振器の温度―電圧特性テーブルから所定の電圧値を読取り、上記電圧制御型温度補償水晶発振器の初期値電圧とするように構成される。
【発明の効果】
【００１９】
以上説明したように本発明によれば、ＶＣＴＣＸＯの発振周波数を安定化することのできる無線通信装置を提供することができる。また、ＶＣＴＣＸＯの経年的周波数変化や温度による周波数変化を補正することができ、無線通信装置の電源投入直後や、基地局を経由しない移動局間での直接通信のように基地局からの制御が未確立の状態でも、ＶＣＴＣＸＯの周波数偏差を所定の周波数偏差以内に安定させることが可能となる。従って、通信不能な状態あるいは不要電波の放射等の問題も解決できる特徴がある。
【発明を実施するための最良の形態】
【００２０】
以下、本発明の実施の形態について、図面を用いて説明する。図１は、本発明の一実施例の概略構成のブロック図を示す。図１において、１０１は、無線回路部、１０２は、ロジック回路部を示している。まず、無線回路部１０１において、アンテナ１１０からの受信信号ＲＦは、アンテナ共用器１１１を介して、増幅器１１２に供給される。ここで増幅された受信高周波信号ＲＦ１は、第１のミキサ１１３に入り、電圧制御発振器（ＶＣＯ）１１４と第１のＰＬＬシンセサイザ１１５で生成された第一局部発振信号Ｆ１とミキシングされ、ダウンコンバートされ、第一中間周波信号ＩＦ１を得る。この第一中間周波信号ＩＦ１は、更に、第２のミキサ１１６に供給され、電圧制御発振器（ＶＣＯ）１１７と第２のＰＬＬシンセサイザ１１８で生成された第二局部発振信号Ｆ２とミキシングされ、ダウンコンバートされ、ベースバンド信号ＢＳ１を得る。このベースバンド信号ＢＳ１は、ベースバンド信号増幅器１１９にて規定の出力レベルまで増幅され、復調器１２０にて所定の復調が行われ復調出力が得られ、ロジック回路部１０２に供給される。
【００２１】
一方、ロジック回路部１０２からの音声信号は、変調部１２１に供給され、ここで送信のための所定の送信信号に変換され、ベースバンド信号増幅器１２２で増幅され、第３のミキサ１２３に供給され、電圧制御発振器（ＶＣＯ）１２４と第２のＰＬＬシンセサイザ１１８で生成された第三局部発振信号Ｆ３とミキシングされ、アップコンバートされ、第三中間周波信号ＩＦ３を得る。この第三中間周波信号ＩＦ３は、更に、第４のミキサ１２５に供給され、電圧制御発振器（ＶＣＯ）１２６と第１のＰＬＬシンセサイザ１１５で生成された第四局部発振信号Ｆ４とミキシングされ、アップコンバートされ、送信高周波信号ＲＦ２を得る。この送信高周波信号ＲＦ２は、高周波増幅器１２７で規定の出力レベルまで増幅され、アンテナ共用器１１１を介してアンテナ１１０から送信される。また、１２８は、電圧制御温度補償水晶発振器（ＶＣＴＣＸＯ）の基準発振器、１２９は、サーミスタ（登録商標）等の温度検出器である。
【００２２】
次に、ロジック回路部１０２について説明する。デジタル無線通信装置では、信号処理はデジタル的に行われており、ロジック回路部１０２は、Ｄ／Ａ変換器１３０、１３２、Ａ／Ｄ変換器１３１、１３３および演算処理部１４０で構成されている。また、演算処理部１４０は、ＡＦＣ回路１４１、送信信号処理部１４２、受信信号処理部１４３で構成されている。また、ＡＦＣ回路１４１は、制御部１４４および記憶部１４５を有している。１５１は、例えば、マイク等からの音声信号が入力される入力端子であり、１５２は、受信信号処理部１４３からの音声信号を、例えば、スピーカ等に出力するための出力端子である。１４６は、操作部である。
【００２３】
ロジック回路部１０２の動作を説明する。復調部１２０で復調された受信信号は、Ａ／Ｄ変換部１３３で、デジタル信号に変換され、受信信号処理部１４３に入力される。受信信号処理部１４３では、出力端子１５２から、例えば、音声出力するための信号処理と共に、基地局から送信される周波数情報ｆｉを検出し、制御部１４４に供給する。制御部１４４では、この周波数情報ｆｉとＶＣＴＣＸＯ１２８の発振周波数ｆ０（１３４で示す。）を比較し、周波数偏差Δｆを算出する。そして、制御部１４４は、この周波数偏差Δｆが零となるような電圧を発生し、Ｄ／Ａ変換器１３２を介してＶＣＴＣＸＯ１２８の周波数調整端子に印加する。これによってＶＣＴＣＸＯ１２８の発振周波数は、基地局の発振周波数によってＡＦＣ制御される。また、温度検出部１２９からの温度情報Ｔｉは、Ａ／Ｄ変換器１３１を介して制御部１４４に供給され、制御部１４４で、後述するような方法でＶＣＴＣＸＯ１２８の発振周波数制御を行う。
【００２４】
次に、本発明における周波数制御について、図２の処理フローを用いて説明する。図２において、まず、無線通信装置の電源を投入する(ステップＳ１０１)。電源を投入すると、制御部１４４は、記憶部１４５に記憶されている初期電圧Ｖ０を読出し、この初期電圧Ｖ０をＤ／Ａ変換器１３２を介してＶＣＴＣＸＯ１２８の周波数調整端子（図示せず。）に供給する。ここで初期電圧Ｖ０は、製造直後、即ち、出荷時には、ＶＣＴＣＸＯを初期状態で使用するため、記憶部１４５には、システムで許容される周波数精度に収まるように調整された設定値が書き込まれている。例えば、出荷時の室温、＋２５℃の時の発振周波数がｆ０となる電圧、例えば、１．５Ｖに設定されている（ステップＳ１０２）。従って、ＶＣＴＣＸＯ１２８は、初期電圧Ｖ０に対応する発振周波数がｆ０で発振する。なお、この時の室温、＋２５℃は、温度検出器１２９から温度情報Ｔ０としてＡ／Ｄ変換器１３１を介して制御部１４４に送られる。従って、室温＋２５℃の時のＶＣＴＣＸＯ１２８の発振周波数がｆ０、初期電圧がＶ０である。これを表１の項目１で示す。
【００２５】
【表１】
2008219719.tif 000003
【００２６】
ステップＳ１０３では、基地局通信モードか、直接通信モードかを判定する。例えば、業務用デジタル移動無線通信システムでは、移動局の無線通信装置は、基地局を経由して通信を行なう基地局通信モードと、基地局を介さず移動局間で直接通信を行なう直接通信モードがあり、無線通信装置の操作者は、操作部１４６を操作して基地局通信モードか、直接通信モードかを選択している。従って、制御部１４４は、現在動作している無線通信装置がどちらのモードで動作しているかを判定する（ステップＳ１０３）。判定の結果、直接通信モードの場合には、基準となる基地局からの電波が受信できないため、上記ステップＳ１０２で設定した設定値のままで周波数制御は、完了となる（ステップＳ１０９）。
【００２７】
ステップＳ１０３の判定の結果、基地局通信モードの場合には、ＶＣＴＣＸＯ１２８の周波数が安定状態となった時点、通常、例えば、約１秒程度で、受信信号処理部１４３にて受信処理を開始し、基地局から必要な制御情報を受信できるかどうかを判定する（ステップＳ１０４）。必要な制御情報を受信できない場合には、何度かこのステップＳ１０４を繰返す。
【００２８】
必要な制御情報を受信できた場合は、ＡＦＣ回路１４１がＡＦＣ動作を開始し（ステップＳ１０５）、基地局に対するＶＣＴＣＸＯ１２８の周波数偏差Δｆが小さくなるように制御部１４４は、Ｄ/Ａ変換器１３２への設定値を調整する。基地局からの送信信号の周波数は、周波数精度が極めて高いので、基地局からの周波数を基準としてＶＣＴＣＸＯ１２８の周波数誤差が小さくなるように追従し、周波数偏差Δｆが小さくなり、ＡＦＣ動作が収束する（ステップＳ１０６）。
【００２９】
ステップＳ１０６でＡＦＣ動作が収束すると、制御部１４４は、記憶部１４５の設定値の書き換え条件が成立しているかどうかを判定し（ステップＳ１０７）、書き換え条件が成立している場合には、設定値の書き換えを行ない（ステップＳ１０８）、そして、周波数制御は完了する（ステップＳ１０９）。
【００３０】
ここで、ステップＳ１０７の書き換え条件の判定について、図３に示す処理フローを用いて説明する。ステップＳ２０１で、書き換え条件判定のための動作がスタートする。まず、制御部１４４は、温度検出部１２９の温度を読取る（ステップＳ２０２）。この温度検出部１２９は、ＶＣＴＣＸＯ１２８の近傍に配置されているので、温度検出部１２９の温度は、ＶＣＴＣＸＯ１２８の温度とほぼ同じ温度である。温度検出部１２９の温度は、Ａ/Ｄ変換器１３１を介して制御部１４４に供給され、ＶＣＴＣＸＯ１２８の温度Ｔが読取られる（ステップＳ２０２）。次に、ステップＳ２０２で読取られた温度が、例えば、所定範囲（＋２５℃±α）内であるかどうかを判定する（ステップ２０３）。
【００３１】
ここで、ステップ２０３の読取られた温度が所定範囲内であるかどうかの判定について説明する。まず、読取られた温度が所定範囲内であるかどうかの判定を説明する前に、デジタル移動無線通信システムの移動局の無線通信装置が所定の周波数範囲にあることが要求される理由について、図４を用いて説明する。図４は、本発明のデジタル移動無線通信システムの移動局の無線通信装置に要求される温度変動と周波数偏差の関係を説明するための図である。図４において、縦軸は、周波数偏差を示し、横軸は、温度を示している。曲線４０１は、無線通信装置で使用される電圧制御型温度補償水晶発振器（ＶＣＴＣＸＯ）の温度変動に対する周波数偏差を示している。図４から明らかなようにこの無線通信装置で使用されるＶＣＴＣＸＯの周波数偏差は、例えば、温度変動幅１０℃〜４０℃の範囲で、周波数偏差は、±１ｐｐｍの精度が要求されることを示している。換言すると、本発明のデジタル移動無線通信システムの移動局の無線通信装置は、温度変動幅１０℃〜４０℃の範囲で、周波数偏差は、±１ｐｐｍを越えては使用できないことを示している。従って、本発明では、これを実現するための一実施例を以下に説明する。なお、本実施例では、温度変動幅１０℃〜４０℃の範囲で、周波数偏差は、±１ｐｐｍの精度が要求されることとして説明するが、これに限られるものではなく、システムの構成、設置条件等に応じて適宜変更されることはいうまでもない。
【００３２】
さて、図６でも説明したように、電圧制御型温度補償水晶発振器（ＶＣＴＣＸＯ）は、製造直後では、室温＋２５℃で曲線６０１となるように調整していることを説明した。そして、約１年経過後には、曲線６０２のように変化する。従って、これを補正するためには、例えば、ＶＣＴＣＸＯ１２８の周波数調整端子（図示せず。）に供給する電圧Ｖ１を例えば、１．６Ｖとすることが必要である。これを表１の項目２で示す。即ち、製造直後では、曲線６０１とするために、例えば、ＶＣＴＣＸＯ１２８の周波数調整端子に供給する電圧Ｖ０は、１．５Ｖであったが、約１年経過後には、曲線６０２のように変化するため、これを補正するためにＶ１を１．６Ｖにして、曲線６０１になるように補正している。
【００３３】
従って、無線通信装置の操作者は、操作部１４６を操作して記憶部１４５に経年変化後の電圧Ｖ１、例えば、１．６Ｖを記憶部１４５に記憶する。これによって、無線通信装置の電源が投入された時点で、制御部１４４は、記憶部１４５から電圧Ｖ１を読出し、Ｄ／Ａ変換部１３２を介してＶＣＴＣＸＯ１２８の周波数調整端子に電圧Ｖ１を供給する。これによって無線通信装置のＶＣＴＣＸＯ１２８は、図６で示される曲線６０１のように製造直後の周波数偏差を保つことができる。なお、上記実施例では、周波数偏差に対応する電圧Ｖ１を操作部１４６から記憶部１４５に書込むことで説明したが、通常は、基地局からの周波数に追随してＡＦＣ回路１４１が動作しているので、このＡＦＣ動作で得られる周波数偏差Δｆに対応する電圧Ｖ１で記憶部１４５の内容を書換えるようにすることで、発振周波数を一定に保つことができる。なお、記憶部１４５の内容をＡＦＣ動作で得られる周波数偏差Δｆに対応する電圧Ｖ１で書換える場合、変化する度に書換えると、発振周波数が不安定になり、また、ＡＦＣ回路１４１の処理負担が増大するので、例えば、周波数偏差Δｆに対応する電圧Ｖが所定値Ｖｔｈ（閾値、例えば、０．５Ｖ）を越える場合、記憶部１４５の電圧Ｖを書換えるようにする方がよい。
【００３４】
次に、ステップ２０３の読取られた温度が所定範囲内であるかどうかの判定について説明する。図５は、温度補正した場合のＶＣＴＣＸＯ１２８の周波数偏差を示す特性図を示す。なお、図５中の点Ｐ１、Ｐ２、Ｐ３およびＰ４は、図４で示される温度偏差１０℃〜４０℃の範囲での周波数偏差Δｆが±１ｐｐｍの範囲を示している。図５において、曲線５０１は、図６に示される経年変化した場合のＶＣＴＣＸＯ１２８の周波数偏差（曲線６０２に対応する。）を示している。また、曲線５０２は、経年変化した場合のＶＣＴＣＸＯ１２８の周波数偏差Δｆを経年変化後の電圧Ｖ１、例えば、１．６Ｖで補正して、室温＋２５℃で、ＶＣＴＣＸＯ１２８の周波数偏差Δｆをほぼ零にした場合を示している。曲線５０３は、ＶＣＴＣＸＯ１２８の温度（２５℃＋α）を２７．５℃で補正した場合の周波数特性曲線を示す。この場合、温度変動幅１０℃〜４０℃の範囲で、周波数偏差は、±１ｐｐｍの範囲に入るので、図４に示される要求が満足されている。なお、この場合のＶＣＴＣＸＯ１２８の周波数調整端子に印加される電圧Ｖ２は、表１の項目３で示されるように、例えば、１．６５Ｖである。
【００３５】
曲線５０４は、ＶＣＴＣＸＯ１２８の温度（２５℃−α）を２２．５℃で補正した場合の周波数特性曲線を示す。この場合のＶＣＴＣＸＯ１２８の周波数調整端子に印加される電圧Ｖ３は、表１の項目４で示されるように、例えば、１．４５Ｖである。この場合、温度変動幅１０℃〜４０℃の範囲で、周波数偏差Δｆは、例えば、温度４０℃で−１．０ｐｐｍを越えている（点Ｐ４を越えている）ことが分かる。即ち、Ｐ１、Ｐ２、Ｐ３およびＰ４で囲まれる範囲を越える周波数偏差Δｆがあり、図４に示される要求が満足されていないので、ＶＣＴＣＸＯ１２８の温度（２５℃−α）を２２．５℃で補正した無線通信装置は、使用できないこととなる。なお、図５に示す温度補正した場合のＶＣＴＣＸＯ１２８の周波数偏差の特性図は、一実施例であって、システムの構成、使用環境等に応じて適宜設定されることはいうまでもない。
【００３６】
上記説明したように、ステップＳ２０３で読取られた温度が所定範囲（＋２５℃±α）外である場合は、記憶部１４５の記憶内容を書換えない（ステップＳ２０６）。この場合は、無線通信装置の動作を停止することが望ましい。また、読取られた温度が所定範囲（＋２５℃±α）内である場合は、無線通信装置の受信状態が良好かどうかを判定する（ステップＳ２０４）。受信状態が良好かどうかの判定には、例えば、無線通信装置の受信電界レベルが３０ｄＢμＶ以上、８０ｄＢμＶ未満といった受信電界レベルによる判定や、基地局から受信したデータの誤りビット数といったビット誤り率などを用いることができる。
【００３７】
そして、受信状態が良好な場合には、書き換え条件成立と判断し（ステップＳ２０５）、記憶部１４５の内容を書換える。また、受信状態が不良と判断された場合には、記憶部１４５の記憶内容を書換えない（ステップＳ２０６）。
【００３８】
このように本発明の一実施例では、図５に示されるように温度検出部１２９で検出される温度、即ち、ＶＣＴＣＸＯの温度特性によって補正される周波数特性曲線が図５で示されるように変化する。そして、補正の仕方によっては、Ｐ１、Ｐ２、Ｐ３およびＰ４で囲まれる範囲を越える周波数偏差Δｆが発生する。即ち、本発明のデジタル移動無線通信システムの移動局の無線通信装置で許容される周波数偏差を超える場合が発生する。特に、基地局からの送信周波数に移動局のＡＦＣ回路が追従している場合は、このような問題はないが、上述したように移動局の無線通信装置の電源が投入された場合とか、直接通信モードで動作する場合等では、デジタル移動無線通信システムの移動局の無線通信装置で許容される周波数偏差を超える場合が発生する。従って、例えば、図５で示されるように前もって各温度範囲の周波数偏差を測定し、例えば、図５の場合には、温度検出部１２９の温度がデジタル移動無線通信システムの移動局の無線通信装置の使用される場所の温度を前もって測定し、使用温度範囲が、例えば、１０℃〜４０℃の範囲で、曲線５０２あるいは曲線５０３となるように記憶部１４５に初期電圧Ｖを記憶する。例えば、表１の項目２、項目３の電圧Ｖ１、Ｖ２である。なお、記憶する方法としては、例えば、記憶部１４５に表１で示される温度―電圧特性を示すテーブルとして記憶し、制御部１４４がこのテーブルから所定の電圧を読み出すようにすることで実現できる。その結果、移動局の無線通信装置の電源が投入された直前とか、直接通信モードで動作する場合等でも、本発明のデジタル移動無線通信システムの移動局の無線通信装置は、許容される周波数偏差を超えることがなく、通信不能な状態あるいは不要電波の放射等の問題も発生せず、ニーズに合った無線通信装置が実現できる。なお、制御部１４４が電圧Ｖ１、Ｖ２のいずれを選択するかは、例えば、温度検出部１２９で検出される温度に近い温度に対応する電圧Ｖを選択するようにすることもできるし、また、操作者が操作表示部１４６を操作して適宜選択することもできる。
【００３９】
以上、本発明について詳細に説明したが、本発明は、ここに記載された無線通信装置の実施例に限定されるものではなく、上記以外の無線通信装置に広く適応することが出来ることは、言うまでも無い。
【図面の簡単な説明】
【００４０】
【図１】本発明の一実施例の概略構成のブロック図を示す。
【図２】本発明の動作を説明するための動作フローを示す図である。
【図３】本発明の記憶部の内容の書換え条件を説明するための動作フローを示す図である。
【図４】本発明の無線通信装置に要求される温度変動と周波数偏差の関係を説明するための図である
【図５】本発明の温度補正した場合のＶＣＴＣＸＯの周波数偏差を示す特性図を示す。
【図６】従来のＶＣＴＣＸＯの経時変化による周波数偏差を説明するための図である。
【図７】従来のＶＣＴＣＸＯの経時変化による発振周波数と印加電圧との関係を説明するための図である。
【符号の説明】
【００４１】
１０１：無線回路部、１０２：ロジック回路部、１１０：アンテナ、１１１：アンテナ共用器、１１２、１１９、１２２、１２７：増幅器、１１３、１１６、１２３、１２５：ミキサ、１１４、１１７、１２４、１２６：電圧制御発振器、１１５：第１のＰＬＬシンセサイザ、１１８：第２のＰＬＬシンセサイザ、１２０：復調部、１２１：変調部、１３０、１３２：Ｄ／Ａ変換器、１３１、１３３：Ａ／Ｄ変換器、１４０：演算処理部、１４１：ＡＦＣ回路、１４２：送信信号処理部、１４３：受信信号処理部、１４４：制御部、１４５：記憶部、１４６：操作部、１５１：入力端子、１５２：出力端子。
【図１】
2008219719.tif 000004
【図２】
2008219719.tif 000005
【図３】
2008219719.tif 000006
【図４】
2008219719.tif 000007
【図５】
2008219719.tif 000008
【図６】
2008219719.tif 000009
【図７】
2008219719.tif 000010